(57)【要約】【課題】清浄な空気を従来よりも広範囲に拡散させることができる円筒形状の空気清浄機を提供する。【解決手段】空気清浄機（１）は、下部が上部よりも太い円筒形状であり、下部に全方位に面して空気吸込孔（２２）を有するとともに、上面に空気吹出口（２１）を有する筐体（２）を備えている。【選択図】図１
2017109158.tif 000002
【特許請求の範囲】
【請求項１】
下部が上部よりも太い円筒形状であり、下部に全方位に面して空気吸込孔を有するとともに、上面に空気吹出口を有する筐体を備えていることを特徴とする空気清浄機。
【請求項２】
平面視で上記空気吹出口の中央部を塞ぐ、逆テーパ状の天板をさらに備えていることを特徴とする請求項１に記載の空気清浄機。
【請求項３】
上記空気吸込孔と上記空気吹出口とを結ぶ通風路内の中央部に、上記通風路に平行に配列された複数の光源を有する発光装置をさらに備え、
上記筐体は、透光性を有し、上記発光装置が出射する光を全方位に透過させることを特徴とする請求項１または２に記載の空気清浄機。
【請求項４】
下部に空気吸込孔を有するとともに上面に空気吹出口を有する円筒形状の筐体と、
平面視で上記空気吹出口の中央部を塞ぐ、逆テーパ状の天板と、を備えていることを特徴とする空気清浄機。
【請求項５】
下部に空気吸込孔を有するとともに上面に空気吹出口を有する円筒形状の筐体と、
上記空気吸込孔と上記空気吹出口とを結ぶ通風路内の中央部に、上記通風路に平行に配列された複数の光源を有する発光装置と、を備え、
上記筐体は、透光性を有し、かつ、円筒形状であり、上記発光装置から出射された光を全方位に透過させることを特徴とする空気清浄機。
【請求項６】
上記通風路内に配置された送風機をさらに備えるとともに、
上記発光装置は、上記送風機を駆動している間、上記光が下方から上方に動くように上記光源を点灯させることを特徴とする請求項３または５に記載の空気清浄機。
【請求項７】
上記発光装置は、上記光源に対向配置され、上記光源から出射された光を拡散する導光体をさらに備えていることを特徴とする請求項３、５、６の何れか１項に記載の空気清浄機。
【請求項８】
上記導光体は複数の光ファイバを備え、該複数の光ファイバで上記光源の光出射面が覆われていることを特徴とする請求項７に記載の空気清浄機。
【請求項９】
上記筐体は、下部から上部に向かって光の透過率が高くなるように形成されていることを特徴とする請求項１〜８の何れか１項に記載の空気清浄機。
【請求項１０】
上記空気吸込孔は、上記筐体の下方から上方に向かうにしたがって孔径および密度が小さくなるように配された細孔で形成されていることを特徴とする請求項１〜９の何れか１項に記載の空気清浄機。
【発明の詳細な説明】
【技術分野】
【０００１】
本発明は、円筒形状の空気清浄機に関する。
【背景技術】
【０００２】
空気清浄機は、一般的に、内部に送風機およびフィルタを収容する筐体が箱型であり、筐体の後面に空気吸込口を有し、上部に空気吹出口を有している（例えば特許文献１参照）。
【０００３】
このような空気清浄機は、通常、居住室内等の室内の壁際に設置して使用され、筐体の後面に設けられた空気吸込口から吸引した空気をフィルタで浄化して、筐体上部の空気吹出口から、浄化した清浄な空気を吹き出す。
【先行技術文献】
【特許文献】
【０００４】
【特許文献１】特開２００９−３４６０４号公報（２００９年２月１９日公開）
【発明の概要】
【発明が解決しようとする課題】
【０００５】
しかしながら、箱型の空気清浄機は、室内の壁際等、部屋の隅にしかおくことができない。このため、清浄な空気をなるべく均等かつ広範囲に拡散させることができない。また、箱型の空気清浄機は、表示部が前面もしくは上面にしかなく、運転状況が確認し難いという別の問題点もある。
【０００６】
本発明は、上記従来の箱型の空気清浄機の問題点に鑑みなされたものであり、その目的は、清浄な空気を従来よりも広範囲に拡散させることができる円筒形状の空気清浄機を提供することにある。また、本発明のさらなる目的は、運転状況の確認を従来よりも容易に行うことができる空気清浄機を提供することにある。
【課題を解決するための手段】
【０００７】
上記の課題を解決するために、本発明の一態様にかかる空気清浄機は、下部が上部よりも太い円筒形状であり、下部に全方位に面して空気吸込孔を有するとともに、上面に空気吹出口を有する筐体を備えている。
【０００８】
上記の課題を解決するために、本発明の一態様にかかる空気清浄機は、下部に空気吸込孔を有するとともに上面に空気吹出口を有する円筒形状の筐体と、平面視で上記空気吹出口の中央部を塞ぐ、逆テーパ状の天板と、を備えている。
【０００９】
上記の課題を解決するために、本発明の一態様にかかる空気清浄機は、下部に空気吸込孔を有するとともに上面に空気吹出口を有する円筒形状の筐体と、上記空気吸込孔と上記空気吹出口とを結ぶ通風路内の中央部に、上記通風路に平行に配列された複数の光源を有する発光装置と、を備え、上記筐体は、透光性を有し、かつ、円筒形状であり、上記発光装置から出射された光を全方位に透過させる。
【発明の効果】
【００１０】
本発明の一態様によれば、清浄な空気を従来よりも広範囲に拡散させることができる円筒形状の空気清浄機を提供することができる。
【図面の簡単な説明】
【００１１】
【図１】本発明の実施形態１にかかる空気清浄機の外観を示す斜視図である。
【図２】本発明の実施形態１にかかる空気清浄機の概略構成を示す断面図である。
【図３】（ａ）は、図２に示す空気清浄機のＡ−Ａ線矢視断面図であり、（ｂ）は、図２に示す空気清浄機のＢ−Ｂ線矢視断面図である。
【図４】（ａ）は、図２に示す空気清浄機のＣ−Ｃ線矢視断面図であり、（ｂ）は、本発明の実施形態１にかかる空気清浄機を、該空気清浄機の上面側から見たときの概略構成を示す平面図である。
【図５】（ａ）は、本発明の実施形態１にかかる空気清浄機における発光装置の要部の構成を示す斜視図であり、（ｂ）は、本発明の実施形態１にかかる空気清浄機の発光装置の要部の構成を示す正面図である。
【図６】本発明の実施形態２にかかる空気清浄機の概略構成を示す断面図である。
【図７】本発明の実施形態２にかかる空気清浄機の発光装置の要部の概略構成を示す斜視図である。
【図８】本発明の実施形態３にかかる空気清浄機の概略構成を示す断面図である。
【発明を実施するための形態】
【００１２】
以下、本発明の実施の形態について、詳細に説明する。
【００１３】
〔実施形態１〕
本発明の実施の一形態について、図１〜図５の（ａ）・（ｂ）に基づいて説明すれば以下の通りである。
【００１４】
図１は、本実施形態にかかる空気清浄機１の外観を示す斜視図である。図２は、本実施形態にかかる空気清浄機１の概略構成を示す断面図である。図３の（ａ）は、図２に示す空気清浄機１のＡ−Ａ線矢視断面図であり、図３の（ｂ）は、図２に示す空気清浄機１のＢ−Ｂ線矢視断面図である。図４の（ａ）は、図２に示す空気清浄機１のＣ−Ｃ線矢視断面図であり、図４の（ｂ）は、本実施形態にかかる空気清浄機１を、該空気清浄機１の上面側から見たときの概略構成を示す平面図である。図５の（ａ）は、本実施形態にかかる空気清浄機１における発光装置８の要部の構成を示す斜視図であり、図５の（ｂ）は、本実施形態にかかる空気清浄機１の発光装置８の要部の構成を示す正面図である。なお、図５の（ａ）・（ｂ）では、説明の便宜上、導光体８４で覆われた複数のＬＥＤ（発光ダイオード）８１のうち一部のＬＥＤ８１を露出させた状態を示している。
【００１５】
＜空気清浄機１の概略構成＞
図２に示すように、本実施形態にかかる空気清浄機１は、筐体２、支持体３、駆動装置収容容器４、制御装置５、フィルタ６、送風機７、発光装置８、および天板９を備えている。
【００１６】
筐体２は、支持体３上に固定されている。駆動装置収容容器４、制御装置５、フィルタ６、送風機７、発光装置８、および天板９は、筐体２と支持体３とで囲まれた、筐体２の内部に設けられている。
【００１７】
以下に、上記各構成要素について、より詳細に説明する。
【００１８】
（筐体２）
図１および図２に示すように、筐体２は、該筐体２の下部の外周が上部の外周よりも太く、筐体２の下部が下方ほど広くなる裾広がりの円筒形状を有している。このため、筐体２は、下部の開口径が、上部の開口径よりも大きく形成されている。
【００１９】
本実施形態にかかる空気清浄機１は、下部から空気を吸気し、該空気中の異物を除去して、上部から清浄空気として吹き出す。筐体２の上部開口は、清浄空気を吹き出す空気吹出口２１として用いられる。
【００２０】
筐体２の下部には、図１に示すように、外部の空気を吸引する複数の空気吸込孔２２が、筐体２の外周全体に渡って設けられている。空気吸込孔２２は、定形もしくは不定形の細孔で形成されており、下部から上方に向かうにしたがって孔径が小さくなるとともに、孔数が少なくなるように配置されている。
【００２１】
筐体２は、ガラス、透光性を有する樹脂等の、透光性材料で形成されている。筐体２の外観の色彩は特に限定されないが、例えば、下部が不透明であり、上部が透明であることが望ましく、下部から上部に向かうにしたがって、透過率が高くなるように形成されていることが、より望ましい。また、上部が下部よりも色が薄い、もしくは、上部が下部よりも明度あるいは彩度が高くなるように形成されていてもよい。
【００２２】
筐体２の内部空間は、空気吸込孔２２から筐体２の内部に吸い込まれた空気を空気吹出口２１へと導く通風路１１として用いられる。
【００２３】
本実施形態によれば、上述したように、筐体２が円筒形状を有していることで、箱型の空気清浄機のように設置場所が限定されないため、例えば室内等、空気清浄機１の被設置空間の中央部に配置することが可能である。
【００２４】
また、本実施形態によれば、筐体２の下部が、上部に比べて相対的に太く、筐体２の上部が、下部に比べて相対的に細い円筒形状にされていることで、筐体２内の内部空間によって形成される通風路１１を狭め、該通風路１１を通過する空気による内部気流を高速化することができる。
【００２５】
このため、筐体２を単に円筒形状とした場合と比較して、筐体２から外部に排出される空気の排出速度をより大きくすることができ、空気清浄機１の被載置空間内に対流を作り出すことができる。
【００２６】
したがって、本実施形態によれば、空気清浄機１の周囲だけでなく、空気清浄機１から遠方に浄化した清浄な空気を届けることができるとともに、空気清浄機１の周囲の全方位に、清浄な空気を拡散させることができる。
【００２７】
また、例えば送風機７の回転数が同じであっても、筐体２を単に円筒形状とした場合と比較して、筐体２から外部に排出される空気の排出速度をより大きくすることができるので、その分、送風機７の回転数を小さくすることができる。したがって、送風機７の回転数が同じである場合、筐体２を単に円筒形状とした場合よりも、より静音での運転が可能となる。
【００２８】
また、風切り音は、送風機の運転音以外に、通風路を曲げる箇所でも発生する。本実施形態によれば、例えば特許文献１のように通風路を傾斜させなくても空気清浄機１から遠方に浄化した清浄な空気を届けることができるとともに、空気清浄機１の周囲の全方位に、清浄な空気を拡散させることができるので、これによっても静音駆動が可能となる。
【００２９】
また、筐体２が上記形状を有していることで、空気清浄機１を、床やテーブル等の被載置面に安定して載置することができるとともに、筐体２の下部に、空気吸込孔２２を多数設けることができ、総空気吸込孔面積を大きくすることができる。
【００３０】
また、筐体２が上述したように円筒形状を有し、筐体２の下部に、複数の空気吸込孔２２が、筐体２の外周全体に渡って設けられていることで、全方位（つまり、３６０度）から吸気が可能となる。
【００３１】
そして、上述したように、筐体２における空気吸込孔２２の形成位置を、筐体２の下部、すなわち、筐体２における比較的低い位置に設定することで、デザイン性が向上する。
【００３２】
特に、本実施形態では、図１に示すように、空気吸込孔２２が、筐体２の下方から上方に向かうにしたがって孔径および密度（孔数）が小さくなるように配された細孔で形成されている。
【００３３】
このため、本実施形態によれば、例えば格子状の吸気口が整然と配置された従来の無機質な外観と異なり、美しく、デザイン性に優れた外観の空気清浄機１を提供することができるとともに、下方から上方に向かう空気の流れをイメージさせることができる。なお、細孔の大きさは、特に限定されるものではない。
【００３４】
また、筐体２の下部から上部に向かうにしたがって光透過率や色調が高くなるように筐体２の光透過率や色調にグラデーションをもたせることで、下方から上方に向かって空気が浄化させるイメージをさらに強調することができる。
【００３５】
本実施形態において、筐体２は、図２に示すように、送風機７よりも下流側の長さが、送風機７よりも上流側の長さよりも長く形成されている。このため、ノズル長効果により、清浄な空気を、通風路１１に平行に、より高い位置まで噴出させることができる。
【００３６】
また、筐体２の上部開口は、図１および図２に示すように、胴体部分よりも僅かに外側に広がった逆テーパ状に形成されていてもよい。
【００３７】
これにより、空気吹出口２１から吹き出される吹出し気流を、空気清浄機１を中心とする３６０度全方位に向けて拡散し易くなる。
【００３８】
したがって、本実施形態によれば、空気清浄機１からより遠くまで浄化した空気を届けることができ、清浄な空気を、例えば室内全体に、より広範囲に拡散させることができる。
【００３９】
筐体２の下部の内部には、支持体３上に固定された駆動装置収容容器４およびフィルタ６が配置されている。
【００４０】
筐体２の下部の内壁には、フィルタ６を固定する固定部材２３が設けられている。
【００４１】
（支持体３）
支持体３は、空気清浄機１の底面となる円盤状の支持部材である。支持体３の上面もしくは側面には、筐体２を固定するための例えば図示しない溝等が形成されていてもよい。筐体２は、フィルタ６等の交換等のため、支持体３に、取り外し自在に固定される。
【００４２】
また、支持体３の例えば底面には、例えば電源コード等の図示しない電源部が設けられていてもよい。但し、空気清浄機１への給電は、特に限定されるものではなく、支持体３あるいは駆動装置収容容器４内に電池やバッテリー等が搭載されていてもよい。
【００４３】
（駆動装置収容容器４）
駆動装置収容容器４は、支持体３上に、筐体２の下部の内部の中心部に位置するように配置されている。
【００４４】
駆動装置収容容器４は、内部に、空気清浄機１を駆動する駆動装置を収容する容器である。駆動装置収容容器４に収容される駆動装置としては、例えば、送風機７のモータ７２、制御装置５等が挙げられる。また、空気清浄機１が、通信装置を備えている場合、駆動装置として、例えば受信装置等の通信装置が収容されていてもよい。
【００４５】
駆動装置収容容器４は、これら駆動装置に接続された送風ファン７１や発光装置８を固定するための支持台としても用いられる。
【００４６】
（制御装置５）
制御装置５は、空気清浄機１の駆動を制御する制御回路を有する回路基板であり、送風機７のモータ７２および発光装置８のＬＥＤ基板８２等、該制御装置５に接続された、空気清浄機１の各部の動作を制御する。
【００４７】
例えば、制御装置５は、モータ７２およびＬＥＤ基板８２への電圧の印加の有無、電圧量、および電圧の印加のタイミング等を制御することで、送風機７および発光装置８の駆動を制御する。
【００４８】
制御装置５には、例えば、ＣＰＵ（Central Processing Unit）や専用プロセッサ等の演算処理装置が用いられる。
【００４９】
制御装置５は、例えば、ＲＡＭ（Random Access Memory）、ＲＯＭ（Read Only Memory）、ＨＤＤ（Hard Disc Drive）等の図示しない記憶部に記憶されている各種情報および各種制御を実施するためのプログラムを読み出して実行することで、空気清浄機１の各部の動作を統括的に制御するとともに、例えば、発光装置８における各ＬＥＤ８１の点灯および消灯のタイミングを制御し、光の演出を行う。なお、プログラムが実行されることで、制御装置５には、例えば、電圧切替え制御部、通信制御部等が構築される。
【００５０】
また、上述したように、空気清浄機１は、駆動装置として通信装置を備えていてもよく、制御装置５には通信装置が接続されていてもよい。
【００５１】
通信装置を駆動装置収容容器４内に配設する場合、筐体２および駆動装置収容容器４は、絶縁体または赤外線等が透過可能な部材等で構成し、外部からの信号を通信可能に構成することが好ましい。
【００５２】
（フィルタ６）
フィルタ６は、図２および図３の（ａ）に示すように、筐体２の下部の内側に、空気吸込孔２２を筐体２の内側から覆うように、筐体２の内周に沿って取り付けられている。
【００５３】
フィルタ６は、送風機７によって空気吸込孔２２から筐体２内に取り込まれる空気を通過させることで、該空気中の塵埃等の異物を捕集して該空気から分離（除去）することで、清浄な空気に浄化する。
【００５４】
（送風機７）
通風路１１内には、図２および図３の（ｂ）に示すように、送風機７が設けられている。送風機７は、送風ファン７１と、該送風ファン７１を回転駆動するモータ７２とを備えている。
【００５５】
送風ファン７１は、支持体３上に固定された駆動装置収容容器４の上方に設けられている。送風ファン７１は、モータ７２の固定軸７３が通風路１１の中心軸上に位置するように配置されている。
【００５６】
送風機７としては、送風ファン７１として斜流ファンを用いた斜流送風機、あるいは、送風ファン７１として軸流ファン等を用いた軸流送風機等が挙げられる。
【００５７】
モータ７２によって送風ファン７１を回転駆動させると、筐体２の周囲の空気が空気吸込孔２２から筐体２内に吸い込まれる。吸い込まれた空気は、フィルタ６を通って清浄化された後、送風ファン７１の下流側の通風路１１の入口で半径方向の流れから軸方向の流れに向きを変えて通風路１１の出口側に導風され、空気吹出口２１から吹き出される。
【００５８】
なお、図２では、送風ファン７１が１つのみ設けられている場合を例に挙げて図示しているが、送風ファン７１は、複数設けられていてもよい。
【００５９】
（発光装置８）
発光装置８は、図２および図４の（ａ）に示すように、通風路１１における、送風機７と空気吹出口２１との間に配置されている。
【００６０】
発光装置８は、光の演出を行う光演出装置であり、光源としてのＬＥＤ８１と、ＬＥＤ８１が実装される配線基板である複数のＬＥＤ基板８２と、ＬＥＤ基板８２を固定する支持軸８３と、ＬＥＤ８１から出射された光を拡散する導光体８４と、を備えている。
【００６１】
支持軸８３は、通風路１１の中央に位置するように、通風路１１に平行（すなわち、通風方向に平行）に固定されている。
【００６２】
ＬＥＤ基板８２は、支持軸８３を取り囲むように、それぞれ支持軸８３に固定されている。本実施形態では、支持軸８３は、水平方向断面が六角形状を有し、６枚のＬＥＤ基板８２が、支持軸８３における、通風路１１に平行な６つの各面にそれぞれ固定されている。
【００６３】
各ＬＥＤ基板８２には、各ＬＥＤ基板８２の延設方向に沿って、複数のＬＥＤ８１が配列されている。このため、ＬＥＤ８１は、通風路１１に平行に配列されている。
【００６４】
導光体８４は、ＬＥＤ８１に対向配置されている。導光体８４は、ＬＥＤ８１から出射された光を散乱させることで拡散する。発光装置８は、ＬＥＤ８１から出射された光を、導光体８４および透光性を有する筐体２を介して外部に出射する。
【００６５】
本実施形態によれば、ＬＥＤ８１が、例えば通風路１１の中央部に、通風路１１に平行に配置されているとともに、筐体２が透光性を有していることで、ＬＥＤ８１から射出された光を、透光性を有する筐体２を介して視認することができる。本実施形態によれば、筐体２を透過した光を視認することで、ＬＥＤ８１のギラつきを抑えた柔らかい光を視認することが可能となる。
【００６６】
このとき、特に、上記発光装置８が、ＬＥＤ８１に対向配置され、ＬＥＤ８１から出射された光を拡散する導光体８４をさらに備えていることで、ＬＥＤ８１の点光りを抑え、発光装置８から出射される光の見映えをさらに改善することができる。
【００６７】
また、前述したように、筐体２は、円筒形状を有している。このため、本実施形態によれば、ＬＥＤ８１のギラつきを抑えた柔らかい光を、空気清浄機１の周りの全方位、すなわち、空気清浄機１の周囲３６０度どこからでも視認することができるともに、ＬＥＤ８１による光の演出を、空気清浄機１の周りの全方位から確認することができる。このため、運転状況の確認を従来よりも容易に行うことができるとともに、デザイン性を向上させることができる。
【００６８】
また、本実施形態によれば、上述したように、ＬＥＤ８１は、通風路１１に平行に配置されている。このように、空気吸込孔２２と空気吹出口２１とを結ぶ通風路１１の延設方向（すなわち、長手方向）にＬＥＤ８１を配置することで、ＬＥＤ８１の配置箇所を大きく取ることができる。
【００６９】
また、ＬＥＤ８１を、通風路１１に平行に配置することで、浄化した空気の流れとＬＥＤ８１の配置方向とが同じになる。このため、空気の流れを光で表現し易くなる。
【００７０】
さらに、送風機７に斜流送風機や軸流送風機を用いた場合、ＬＥＤ８１を、上述したように通風路１１の中央部（すなわち、送風機７の回転軸の延長方向）に配置することで、通風路１１を狭め、通風路１１を通過する空気による内部気流を高速化することができるとともに、気流の乱れの大きい通風路１１の中央部分を塞ぐことができ、送風効率を高めることができる。
【００７１】
本実施形態において、導光体８４は、複数の光ファイバ８５と、これら光ファイバ８５を結束する、透光性を有する結束部材８６と、を備えている。
【００７２】
光ファイバ８５は、図５の（ａ）・（ｂ）に示すように、ＬＥＤ８１の配列方向に平行に配置されている。光ファイバ８５は、ＬＥＤ８１の光出射面を覆うように、ＬＥＤ基板８２が固定された支持軸８３の周りを覆っている。
【００７３】
結束部材８６は、光ファイバ８５がＬＥＤ８１の光出射面を覆うように、光ファイバ８５を、ＬＥＤ基板８２のＬＥＤ搭載面に固定する。
【００７４】
光ファイバ８５は、透光性を有するとともに、柔軟性を有しており、支持軸８３を取り巻くように配置された各ＬＥＤ８１の光出射面を容易に覆うことができるとともに、光ファイバ８５の束によって、ＬＥＤ８１から出射された光を容易に散乱して拡散させることができる。
【００７５】
（天板９）
図２および図４の（ｂ）に示すように、筐体２の上部開口には、空気吹出口２１の中央部を塞ぐ、逆テーパ状の天板９が設けられている。
【００７６】
天板９は、平面視で、筐体２の上部開口よりも一回り小さく形成されている。これにより、天板９と筐体２との間には、リング状の空気吹出口２１が形成されている。
【００７７】
本実施形態によれば、このように、平面視で空気吹出口２１の中央部を塞ぐ、逆テーパ状の天板９が設けられていることで、通風路１１および空気吹出口２１の面積を絞り、吹出す気流を高速化することができる。このため、本実施形態によれば、浄化した空気を、空気清浄機１に対して遠方まで届けることができる。
【００７８】
また、本実施形態によれば、上述したように、天板９が逆テーパ状に形成されていることで、空気吹出口２１から吹き出される吹出し気流を、空気清浄機１の外周方向に導くことができる。また、天板９により、天板９と筐体２との間に、リング状の空気吹出口２１が形成されることから、吹出し気流を、空気清浄機１を中心とする３６０度全方位に向けて拡散することができる。
【００７９】
なお、天板９のテーパ角は、特に限定されるものではない。天板９の周壁は、ルーバーとしての機能を有する。天板９のテーパ角（もしくは該テーパ角を決定する仰角）は、通風路１１の内径や筐体２の高さ、空気清浄機１の被設置空間の大きさ等に応じて適宜設計すればよい。
【００８０】
また、上記天板９は、空気吹出口２１の中央部を塞ぐ蓋体として機能する。このため、上記天板９を設けることで、空気吹出口２１の内部への異物の混入を防止することができる。
【００８１】
また、本実施形態によれば、天板９を設けることで、筐体２の内部機構を直接視認することができないようにすることができる。このため、空気清浄機１のデザイン性を向上させることができる。
【００８２】
天板９は、発光装置８上に配置されている。なお、天板９には、図示しない操作部が設けられていてもよい。この場合、発光装置８の支持軸８３を中空状の配管で形成し、該配管内に配線を設けることで、制御装置５と天板９とを接続してもよい。
【００８３】
＜光の演出＞
次に、発光装置８による光の演出について説明する。
【００８４】
空気は視認できないことから、空気の動きを観察することはできない。本実施形態では、前述したように、制御装置５により、発光装置８における各ＬＥＤ８１の点灯および消灯のタイミングを制御し、光の演出を行うことで、空気の動きを表現する。
【００８５】
例えば、本実施形態では、発光装置８は、空気清浄機１を駆動（運転）している間（言い換えれば、送風機７を駆動している間）、筐体２を透過することで視認される光が、筐体２の下方から上方に動くようにＬＥＤ８１を順に点灯させる。
【００８６】
このように各ＬＥＤ８１の点灯および消灯のタイミングをずらし、下から上に向かって光を移動させることで、空気清浄機１の動作確認を行うことができるとともに空気の流れをイメージさせることができる。
【００８７】
このとき、前述したように、筐体２が、例えば下部が不透明で、上方に向かうにしたがって半透明になる等、上方ほど光の透過率が高くなるように形成されていたり、筐体２の着色あるいは発光装置８の発光色を、筐体２の高さ方向で段階的に変化させて上方ほど明るい光が視認されるようにしたりすることが望ましい。これにより、筐体２の下部の空気吸込孔２２から吸引された空気が空気吹出口２１に向かう間に浄化されてきれいになる様子をより一層強くイメージさせることができる。
【００８８】
また、ユーザに空気清浄機１の運転状態を視認させることができるように、空気清浄機１の運転の強弱（言い換えれば、送風機７の回転速度）が、例えば光の強弱等、光の演出に反映されることが望ましい。
【００８９】
例えば、送風機７の回転速度（回転数）が大きくなるにしたがって、ＬＥＤ８１の発光強度が大きくなったり、ＬＥＤ８１の点滅速度が早くなったりすることで、ユーザに運転状態を容易に知らせることができる。
【００９０】
本実施形態によれば、このように運転状態に連動した光の演出を、空気清浄機１を中心とする全方位からユーザに視認させることができる。
【００９１】
〔実施形態２〕
本実施形態について、図６および図７に基づいて説明すれば、以下の通りである。なお、本実施形態では、実施形態１との相違点について説明するものとし、実施形態１で用いた構成要素と同一の機能を有する構成要素には同一の番号を付し、その説明を省略する。
【００９２】
図６は、本実施形態にかかる空気清浄機１の概略構成を示す断面図である。また、図７は、本実施形態にかかる空気清浄機１の発光装置８の要部の概略構成を示す斜視図である。
【００９３】
＜空気清浄機１の概略構成＞
本実施形態にかかる空気清浄機１は、図６および図７に示すように、発光装置８の導光体８４が、光ファイバ８５および結束部材８６に代えて、透光性を有する筒状のカバー８７（筒状部材）および光拡散シート８８を備えている点を除けば、実施形態１にかかる空気清浄機１と同じである。
【００９４】
カバー８７は、ＬＥＤ８１が搭載されたＬＥＤ基板８２の周りに被せられている。光拡散シート８８は、例えばカバー８７に貼り付けられている。なお、光拡散シート８８は、カバー８７の周壁の内側に貼り付けられていてもよく、外側に貼り付けられていてもよい。
【００９５】
光拡散シート８８としては、例えば、シート表面に凹凸処理をしたもの、または、シート内部に光拡散性微粒子を含有させたもの等を用いることができる。
【００９６】
本実施形態でも、上記導光体８４によって、ＬＥＤ８１から出射された光を容易に散乱して拡散させることができ、実施形態１と同様の効果を得ることができる。
【００９７】
〔実施形態３〕
本実施形態について、図８に基づいて説明すれば、以下の通りである。なお、本実施形態では、実施形態１、２との相違点について説明するものとし、実施形態１、２で用いた構成要素と同一の機能を有する構成要素には同一の番号を付し、その説明を省略する。
【００９８】
図８は、本実施形態にかかる空気清浄機１の概略構成を示す断面図である。また、図７は、本実施形態にかかる空気清浄機１の発光装置８の要部の概略構成を示す断面図である。なお、図８は、本実施形態にかかる空気清浄機１を、図４の（ａ）と同じ位置で切断したときの断面を示している。
【００９９】
＜空気清浄機１の概略構成＞
本実施形態にかかる空気清浄機１は、ＬＥＤ８１が搭載されたＬＥＤ基板８２に、フレキシブル配線基板を使用し、該ＬＥＤ基板８２が、カバー８７に固定されている点を除けば、実施形態２にかかる空気清浄機１と同じである。
【０１００】
本実施形態でも、導光体８４によって、ＬＥＤ８１から出射された光を容易に散乱して拡散させることができるので、実施形態１、２と同様の効果を得ることができる。
【０１０１】
なお、本実施形態では、支持軸８３にＬＥＤ基板８２を固定する必要がない。このため、支持軸８３は、天板９の搭載や、天板９に接続された配線の収容に専ら使用される。このため、支持軸８３の形状は、特に限定されず、図８に示すように、例えば円柱状の支持軸８３が使用されてもよい。
【０１０２】
〔変形例〕
実施形態１〜３にかかる空気清浄機１は、筐体２の内部における、送風機７の下流側に、図示しないイオン発生器を備えていてもよい。これにより、イオン発生器が発生する例えば正イオンおよび負イオンを、送風機７から送風する清浄な空気とともに空気吹出口２１から外部に送り出すことができる。
【０１０３】
また、空気清浄機１は、加湿機能を有していてもよく、内部に、加湿フィルタもしくは加湿装置を備えていても構わない。
【０１０４】
また、実施形態１〜３では、発光装置８に使用される光源としてＬＥＤ８１を用いた場合を例に挙げたが、光源としては、これに限定されるものではない。上記光源としては、例えば上述したＬＥＤの他に、ＣＣＦＬ（Cold Cathod Fluorescence Lamp）、ＥＥＦＬ（External Electrode Fluorescent Lamp）、ＥＬ（Electro Luminescence）、ＨＣＦＬ（Hot Cathode Fluorescent Lamp）、半導体レーザ素子、白熱電球、電球型蛍光灯等、公知の各種光源を用いることができる。上記光源としては、点光源であってもよく、線光源あるいは面光源であってもよいが、上述した光の演出を行うために、上記光源としては、ＬＥＤ等の点光源を用いることが望ましい。
【０１０５】
〔まとめ〕
本発明の態様１にかかる空気清浄機（１）は、下部が上部よりも太い円筒形状であり、下部に全方位に面して空気吸込孔（２２）を有するとともに、上面に空気吹出口（２１）を有する筐体（２）を備えている。
【０１０６】
上記の構成によれば、筐体（２）が円筒形状を有していることで、箱型の空気清浄機のように設置場所が限定されないため、例えば室内等、空気清浄機（１）の被設置空間の中央部に配置することが可能である。
【０１０７】
また、筐体（２）の下部が、上部に比べて相対的に太く、筐体（２）の上部が、下部に比べて相対的に細い円筒形状にされていることで、上記筐体（２）内の内部空間によって形成される、上記空気吸込孔（２２）と上記空気吹出口（２１）とを結ぶ通風路（通風路１１）を狭め、該通風路を通過する空気による内部気流を高速化することができる。
【０１０８】
このため、上記の構成によれば、空気清浄機（１）の周囲だけでなく、空気清浄機（１）から遠方に浄化した清浄な空気を届けることができるとともに、空気清浄機（１）の周囲の全方位に、清浄な空気を拡散させることができる。したがって、上記の構成によれば、清浄な空気を従来よりも広範囲に拡散させることができる円筒形状の空気清浄機を提供することができる。
【０１０９】
また、筐体（２）が上記形状を有していることで、空気清浄機（１）を、床やテーブル等の被載置面に安定して載置することができるとともに、筐体（２）の下部に、空気吸込孔（２２）を多数設けることができ、総空気吸込孔面積を大きくすることができる。
【０１１０】
また、筐体（２）が上述したように円筒形状を有し、筐体（２）の下部に、複数の空気吸込孔（２２）が、筐体（２）の外周全体にわたって設けられていることで、全方位から吸気が可能となる。
【０１１１】
そして、上述したように、筐体（２）における空気吸込孔（２２）の形成位置を、筐体（２）の下部、すなわち、筐体（２）における比較的低い位置に設定することで、デザイン性を向上させることができる。
【０１１２】
本発明の態様２にかかる空気清浄機（１）は、上記態様１において、平面視で上記空気吹出口（２１）の中央部を塞ぐ、逆テーパ状の天板（９）をさらに備えていてもよい。
【０１１３】
上記の構成によれば、平面視で空気吹出口（２１）の中央部を塞ぐ、逆テーパ状の天板（９）が設けられていることで、通風路（１１）および空気吹出口（２１）の面積を絞り、吹出す気流を高速化することができる。このため、上記の構成によれば、浄化した空気を、空気清浄機（１）に対して遠方まで届けることができる。
【０１１４】
また、本実施形態によれば、上述したように、天板（９）が逆テーパ状に形成されていることで、空気吹出口（２１）から吹き出される吹出し気流を、空気清浄機（１）の外周方向に導くことができる。また、天板（９）により、天板（９）と筐体（２）との間に、リング状の空気吹出口（２１）が形成されることから、吹出し気流を、空気清浄機（１）を中心とする３６０度全方位に向けて拡散することができる。
【０１１５】
また、上記天板（９）は、空気吹出口（２１）の中央部を塞ぐ蓋体として機能する。このため、上記天板（９）を設けることで、空気吹出口（２１）の内部への異物の混入を防止することができる。
【０１１６】
また、上記の構成によれば、天板（９）を設けることで、筐体（２）の内部機構を直接視認することができないようにすることができる。このため、空気清浄機（１）のデザイン性を向上させることができる。
【０１１７】
本発明の態様３にかかる空気清浄機１は、上記態様１または２において、上記空気吸込孔（２２）と上記空気吹出口（２１）とを結ぶ通風路（１１）内の中央部に、上記通風路（１１）に平行に配列された複数の光源（ＬＥＤ８１）を有する発光装置（８）をさらに備え、上記筐体（２）は、透光性を有し、上記発光装置（８）が出射する光を全方位に透過させてもよい。
【０１１８】
上記の構成によれば、上記光源が、通風路（１１）の中央部に、通風路（１１）に平行に配置されているとともに、筐体（２）が透光性を有していることで、上記光源から射出された光を、透光性を有する筐体（２）を介して視認することができる。したがって、上記の構成によれば、筐体（２）を透過した光を視認することで、筐体（２）を透過した柔らかい光を視認することが可能となる。例えば、光源としてＬＥＤ等の点光源を用いた場合であっても、光源のギラつきを抑えることができる。
【０１１９】
また、上記筐体（２）が円筒形状を有していることで、上記光源のギラつきを抑えた柔らかい光を、空気清浄機（１）の周りの全方位、すなわち、空気清浄機（１）の周囲３６０度どこからでも視認することができるともに、上記発光装置８による光の演出を、空気清浄機（１）の周りの全方位から確認することができる。このため、運転状況の確認を従来よりも容易に行うことができるとともに、デザイン性を向上させることができる。
【０１２０】
また、上記の構成によれば、上記光源が通風路（１１）に平行に配置されていることで、上記光源の配置箇所を大きく取ることができる。
【０１２１】
また、上記光源を、通風路（１１）に平行に配置することで、浄化した空気の流れと上記光源の配置方向とが同じになる。このため、空気の流れを光で表現し易くなる。
【０１２２】
また、上記光源が、通風路（１１）の中央部に、通風路（１１）に平行に配置されていることで、通風路（１１）を狭め、通風路（１１）を通過する空気による内部気流を高速化することができるとともに、気流の乱れの大きい通風路（１１）の中央部分を塞ぐことができ、送風効率を高めることができる。
【０１２３】
本発明の態様４にかかる空気清浄機（１）は、下部に空気吸込孔（２２）を有するとともに上面に空気吹出口（２１）を有する円筒形状の筐体（２）と、平面視で上記空気吹出口（２１）の中央部を塞ぐ、逆テーパ状の天板（９）と、を備えている。
【０１２４】
上記の構成によれば、筐体（２）が円筒形状を有していることで、箱型の空気清浄機のように設置場所が限定されないため、例えば室内等、空気清浄機（１）の被設置空間の中央部に配置することが可能である。
【０１２５】
また、上記の構成によれば、平面視で空気吹出口（２１）の中央部を塞ぐ、逆テーパ状の天板（９）が設けられていることで、上記空気吸込孔（２２）と上記空気吹出口（２１）とを結ぶ通風路（１１）および上記空気吹出口（２１）の面積を絞り、吹出す気流を高速化することができる。このため、上記の構成によれば、浄化した空気を、空気清浄機（１）に対して遠方まで届けることができる。
【０１２６】
また、上記の構成によれば、天板（９）が逆テーパ状に形成されていることで、空気吹出口（２１）から吹き出される吹出し気流を、空気清浄機（１）の外周方向に導くことができる。また、天板（９）により、天板（９）と筐体（２）との間に、リング状の空気吹出口（２１）が形成されることから、吹出し気流を、空気清浄機（１）を中心とする３６０度全方位に向けて拡散することができる。
【０１２７】
このため、上記の構成によれば、空気清浄機（１）の周囲だけでなく、空気清浄機（１）から遠方に浄化した清浄な空気を届けることができるとともに、空気清浄機（１）の周囲の全方位に、清浄な空気を拡散させることができる。したがって、上記の構成によれば、清浄な空気を従来よりも広範囲に拡散させることができる円筒形状の空気清浄機を提供することができる。
【０１２８】
また、上記天板（９）は、空気吹出口（２１）の中央部を塞ぐ蓋体として機能する。このため、上記天板（９）を設けることで、空気吹出口（２１）の内部への異物の混入を防止することができる。
【０１２９】
また、上記の構成によれば、上記天板（９）を設けることで、筐体（２）の内部機構を直接視認することができないようにすることができる。このため、空気清浄機（１）のデザイン性を向上させることができる。
【０１３０】
本発明の態様５にかかる空気清浄機（１）は、下部に空気吸込孔（２２）を有するとともに上面に空気吹出口（２１）を有する円筒形状の筐体（２）と、上記空気吸込孔（２２）と上記空気吹出口（２１）とを結ぶ通風路（１１）内の中央部に、上記通風路（１１）に平行に配列された複数の光源（ＬＥＤ８１）を有する発光装置（８）と、を備え、上記筐体（２）は、透光性を有し、かつ、円筒形状であり、上記発光装置（８）から出射された光を全方位に透過させる。
【０１３１】
上記の構成によれば、筐体（２）が円筒形状を有していることで、箱型の空気清浄機のように設置場所が限定されないため、例えば室内等、空気清浄機（１）の被設置空間の中央部に配置することが可能である。
【０１３２】
また、上記の構成によれば、上記光源が、通風路（１１）の中央部に、通風路（１１）に平行に配置されていることで、通風路（１１）を狭め、通風路（１１）を通過する空気による内部気流を高速化することができるとともに、気流の乱れの大きい通風路（１１）の中央部分を塞ぐことができ、送風効率を高めることができる。
【０１３３】
このため、上記の構成によれば、空気清浄機（１）の周囲だけでなく、空気清浄機（１）から遠方に浄化した清浄な空気を届けることができるとともに、空気清浄機（１）の周囲の全方位に、清浄な空気を拡散させることができる。したがって、上記の構成によれば、清浄な空気を従来よりも均等かつ広範囲に拡散させることができる円筒形状の空気清浄機を提供することができる。
【０１３４】
また、上記の構成によれば、上記光源が、通風路（１１）の中央部に、通風路（１１）に平行に配置されているとともに、筐体（２）が透光性を有していることで、上記光源から射出された光を、透光性を有する筐体（２）を介して視認することができる。したがって、上記の構成によれば、筐体（２）を透過した光を視認することで、筐体（２）を透過した柔らかい光を視認することが可能となる。例えば、光源としてＬＥＤ等の点光源を用いた場合であっても、光源のギラつきを抑えることができる。
【０１３５】
また、上記筐体（２）が円筒形状を有していることで、上記光源のギラつきを抑えた柔らかい光を、空気清浄機（１）の周りの全方位、すなわち、空気清浄機（１）の周囲３６０度どこからでも視認することができるともに、上記発光装置８による光の演出を、空気清浄機（１）の周りの全方位から確認することができる。このため、上記の構成によれば、運転状況の確認を従来よりも容易に行うことができる空気清浄機（１）を提供することができるとともに、空気清浄機（１）のデザイン性を向上させることができる。
【０１３６】
また、上記の構成によれば、上記光源が通風路（１１）に平行に配置されていることで、上記光源の配置箇所を大きく取ることができる。
【０１３７】
また、上記光源を、通風路（１１）に平行に配置することで、浄化した空気の流れと上記光源の配置方向とが同じになる。このため、空気の流れを光で表現し易くなる。
【０１３８】
本発明の態様６にかかる空気清浄機（１）は、上記態様３または５において、上記通風路（１１）内に配置された送風機（７）をさらに備えるとともに、上記発光装置（８）は、上記送風機（７）を駆動している間、上記光が下方から上方に動くように上記光源を点灯させてもよい。
【０１３９】
このように上記光が下方から上方に動くように上記光源を点灯させることで、空気清浄機（１）の動作確認を行うことができるとともに、空気の流れをイメージさせることができる。
【０１４０】
本発明の態様７にかかる空気清浄機（１）は、上記態様３、５、６の何れかにおいて、上記発光装置（８）は、上記光源に対向配置され、上記光源から出射された光を拡散する導光体（８４）をさらに備えていてもよい。
【０１４１】
上記発光装置（８）が、上記導光体（８４）をさらに備えていることで、上記光源から出射された光を拡散し、光源の点光り等を抑えることができ、発光装置（８）から出射される光の見映えをさらに改善することができる。
【０１４２】
本発明の態様８にかかる空気清浄機（１）は、上記態様７において、上記導光体（８４）は複数の光ファイバ（８５）を備え、該複数の光ファイバ（８５）で上記光源の光出射面が覆われていてもよい。
【０１４３】
光ファイバ（８５）は、透光性を有するとともに、柔軟性を有しており、上記光源の光出射面を容易に覆うことができる。また、上記複数の光ファイバ（８５）によって、上記光源から出射された光を容易に散乱して拡散させることができる。
【０１４４】
本発明の態様９にかかる空気清浄機（１）は、上記態様１〜８の何れかにおいて、上記筐体（２）は、下部から上部に向かって光の透過率が高くなるように形成されていてもよい。
【０１４５】
このように筐体（２）の下部から上部に向かうにしたがって光透過率が高くなるように筐体（２）の光透過率にグラデーションをもたせることで、下方から上方に向かって空気が浄化させるイメージをユーザに与えることができる。
【０１４６】
本発明の態様１０にかかる空気清浄機（１）は、上記態様１〜９の何れかにおいて、上記空気吸込孔（２２）は、上記筐体（２）の下方から上方に向かうにしたがって孔径および密度が小さくなるように配された細孔で形成されていてもよい。
【０１４７】
上記の構成によれば、例えば格子状の吸気口が整然と配置された従来の無機質な外観と異なり、美しく、デザイン性に優れた外観の空気清浄機（１）を提供することができるとともに、下方から上方に向かう空気の流れをユーザにイメージさせることができる。
【０１４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４９】
１    空気清浄機
２    筐体
３    支持体
４    駆動装置収容容器
５    制御装置
６    フィルタ
７    送風機
８    発光装置
９    天板
１１    通風路
２１    空気吹出口
２２    空気吸込孔
２３    固定部材
７１    送風ファン
７２    モータ
７３    固定軸
８１    ＬＥＤ
８２    ＬＥＤ基板
８３    支持軸
８４    導光体
８５    光ファイバ
８６    結束部材
８７    カバー
８８    光拡散シート
【図１】
2017109158.tif 000003
【図２】
2017109158.tif 000004
【図３】
2017109158.tif 000005
【図４】
2017109158.tif 000006
【図５】
2017109158.tif 000007
【図６】
2017109158.tif 000008
【図７】
2017109158.tif 000009
【図８】
2017109158.tif 000010